【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
（ａ）エポキシ樹脂、（ｂ）酸無水物、（ｃ）イミダゾール誘導体、および（ｄ）２５℃で液状の離型剤を含む引き抜き成型用エポキシ樹脂組成物であって、（ａ）エポキシ樹脂が、２５℃における粘度が３０００ｍＰａ・ｓ以下の２官能エポキシ樹脂を全エポキシ樹脂１００重量部中に６０〜１００重量部含むエポキシ樹脂であり、（ｃ）イミダゾール誘導体が、１位に置換基を有するイミダゾール誘導体を含むイミダゾール誘導体であることを特徴とする引き抜き成形品用エポキシ樹脂組成物。
【請求項２】
前記（ａ）エポキシ樹脂に含まれる２５℃における粘度が３０００ｍＰａ・ｓ以下の２官能エポキシ樹脂が、ビスフェノールＦ型エポキシ樹脂、ジグリシジルアニリン、ジグリシジルｏ−トルイジン、レゾルシノール型エポキシ樹脂、脂環式エポキシ樹脂からなる群より選ばれる少なくとも１種である、請求項１に記載の引き抜き成形品用エポキシ樹脂組成物。
【請求項３】
請求項１または２に記載の樹脂組成物を硬化させたマトリックス樹脂と、強化繊維からなる引き抜き成形品。
【請求項４】
前記強化繊維が炭素繊維である、請求項３に記載の引き抜き成形品。
【請求項５】
請求項３または４に記載の引き抜き成形品を貼り付けて補強した建築構造物。
【手続補正２】
【補正対象書類名】明細書
【補正対象項目名】００１１
【補正方法】変更
【補正の内容】
【００１１】
すなわち、
（１）（ａ）エポキシ樹脂、（ｂ）酸無水物、（ｃ）イミダゾール誘導体、および（ｄ）２５℃で液状の離型剤を含む引き抜き成型用エポキシ樹脂組成物であって、（ａ）エポキシ樹脂が、２５℃における粘度が３０００ｍＰａ・ｓ以下の２官能エポキシ樹脂を全エポキシ樹脂１００重量部中に６０〜１００重量部含むエポキシ樹脂であり、（ｃ）イミダゾール誘導体が、１位に置換基を有するイミダゾール誘導体を含むイミダゾール誘導体であることを特徴とする引き抜き成形品用エポキシ樹脂組成物。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
（３）前記（１）または（２）に記載の樹脂組成物を硬化させたマトリックス樹脂と、強化繊維からなる引き抜き成形品。
【手続補正５】
【補正対象書類名】明細書
【補正対象項目名】００１５
【補正方法】変更
【補正の内容】
【００１５】
（４）前記強化繊維が炭素繊維である、前記（３）に記載の引き抜き成形品。
【手続補正６】
【補正対象書類名】明細書
【補正対象項目名】００１６
【補正方法】変更
【補正の内容】
【００１６】
（５）前記（３）または（４）に記載の引き抜き成形品を貼り付けて補強した建築構造物。
【手続補正７】
【補正対象書類名】明細書
【補正対象項目名】００１８
【補正方法】変更
【補正の内容】
【００１８】
本発明のエポキシ樹脂組成物は、（ａ）エポキシ樹脂、（ｂ）酸無水物、（ｃ）イミダゾール誘導体、および（ｄ）２５℃で液状の離型剤を含む引き抜き成型用エポキシ樹脂組成物であって、（ａ）エポキシ樹脂が、２５℃における粘度が３０００ｍＰａ・ｓ以下の２官能エポキシ樹脂を全エポキシ樹脂１００重量部中に６０〜１００重量部含むエポキシ樹脂であり、（ｃ）イミダゾール誘導体が、１位に置換基を有するイミダゾール誘導体を含むイミダゾール誘導体であることを特徴とする引き抜き成形品用エポキシ樹脂組成物である。
【手続補正８】
【補正対象書類名】明細書
【補正対象項目名】００４４
【補正方法】変更
【補正の内容】
【００４４】
本発明のエポキシ樹脂組成物は、（ｄ）２５℃で液状の離型剤を含んでいる。離型剤が液状であることにより、低粘度な組成物においても均一に混ぜ合わせることができる。また、離型剤を樹脂中に混合しておくことで、引き抜き成形性が向上する。このことにより、成形品における繊維の配向が良くなるために成形品の圧縮強度などの機械特性や、また、平滑な表面のために接着剤との密着性が増すために建築物にコンクリートの補強剤として張り付ける際の接着性が向上する。
【手続補正９】
【補正対象書類名】明細書
【補正対象項目名】００４５
【補正方法】変更
【補正の内容】
【００４５】
（ｄ）２５℃で液状の離型剤の配合量は、全エポキシ１００重量部に対して、０．１〜８重量部であることが好ましい。より好ましくは、０．１〜６重量部である。０．１重量部以下であると、十分な離型性が得られないことがある。また、８重量部以上添加すると、成形品の強度が低下したり、建築物に貼り付ける際の接着剤との接着性が低下することがある。
【手続補正１０】
【補正対象書類名】明細書
【補正対象項目名】００６８
【補正方法】変更
【補正の内容】
【００６８】
（樹脂原料）
［エポキシ樹脂］
・“ｊＥＲ（登録商標）”１７５０（ビスフェノールＦ型エポキシ樹脂、粘度：１３００ｍＰａ・ｓ、ジャパンエポキシレジン（株）製）
・“ｊＥＲ（登録商標）”８０６（ビスフェノールＦ型エポキシ樹脂、粘度：２０００ｍＰａ・ｓ、ジャパンエポキシレジン（株）製）
・“ｊＥＲ（登録商標）”８２８（ビスフェノールＡ型エポキシ樹脂、粘度：１３０００ｍＰａ・ｓ、ジャパンエポキシレジン（株）製）
・ＧＡＮ（ジグリシジルアニリン、粘度：１２０ｍＰａ・ｓ、日本化薬（株）製）
・“ＴＥＴＲＡＤ−Ｘ（登録商標）”（テトラグリシジル−ｍ−キシレンジアミン、粘度：２０００ｍＰａ・ｓ、三菱瓦斯化学（株）製）
［酸無水物］
・“リカシッド（登録商標）”ＭＨ７００（メチルヘキサヒドロ無水フタル酸／ヘキサヒドロ無水フタル酸、７０／３０の混合物、粘度：６０ｍＰａ・ｓ、新日本理化（株）製）
［イミダゾール誘導体］
＜１位に置換基を有するイミダゾール＞
・“ｊＥＲキュア（登録商標）”ＢＭＩ１２（１−ベンジルー２−メチルイミダゾール、粘度：２３００ｍＰａ・ｓ、ジャパンエポキシレジン（株）製）
＜１位に置換基がないイミダゾール＞
・“ｊＥＲキュア（登録商標）”ＥＭＩ２４（２−エチルー４−メチルイミダゾール、固形、ジャパンエポキシレジン（株）製）
［離型剤］
＜２５℃で液状の離型剤＞
・“ＭｏｌｄＷｉｚ  ＩＮＴ１８４６（登録商標）”（粘度：４２５ｍＰａ・ｓ、ＡＸＥＬ  ＰＬＡＳＴＩＣＳ  ＲＥＳＥＡＲＣＨ  ＬＡＢＯＲＡＴＯＲＩＥＳ  ＩＭＣ．）製）
＜２５℃で液状でない離型剤＞
・カルナウバワックス１号（固形、日本ワックス（株）製）
（強化繊維）
・“トレカ（登録商標）”Ｔ７００Ｓ−２４Ｋ（炭素繊維、真円状断面、フィラメント数２４０００本、東レ（株）製）。
・“トレカ（登録商標）”Ｔ３００Ｂ−３Ｋ（炭素繊維、空豆状断面、フィラメント数３０００本、東レ（株）製）。
【手続補正１１】
【補正対象書類名】明細書
【補正対象項目名】００８１
【補正方法】変更
【補正の内容】
【００８１】
実施例１〜６と比較例１〜５との比較、および実施例４と参考例１の比較により、本発明の引き抜き成形品用エポキシ樹脂組成物は、粘度安定性に優れ、機械特性や耐アルカリ性、接着特性にすぐれた引き抜き成形用エポキシ樹脂組成物が得られていることがわかる。
【手続補正１２】
【補正対象書類名】明細書
【補正対象項目名】００８２
【補正方法】変更
【補正の内容】
【００８２】
【表１】
2008038082.tif 000001
【手続補正１３】
【補正対象書類名】明細書
【補正対象項目名】００８３
【補正方法】変更
【補正の内容】
【００８３】
【表２】
2008038082.tif 000002
【手続補正１４】
【補正対象書類名】明細書
【補正対象項目名】００８４
【補正方法】変更
【補正の内容】
【００８４】
実施例１、６と比較例１、実施例２と比較例２の比較から、イミダゾール誘導体の違いにより初期粘度は、引き抜き成形に用いることが可能な粘度であるが、８時間後の粘度は大きくことなり、１位に置換基を有するイミダゾールが安定性の面で優れていることが分かる。また、原料槽で２時間滞留させたことによる部分的な硬化反応の進行や、含浸槽内での微小なゲル化の影響の少ない実施例１や２の繊維強化複合材料は、比較例１や２と比較して、表面品位が向上し、Ｗｆが高くなり、層間剪断強度、０°曲げ強度も高くなっていることが分かる。また、耐アルカリ性も向上していることがわかる。
【手続補正１５】
【補正対象書類名】明細書
【補正対象項目名】００８５
【補正方法】変更
【補正の内容】
【００８５】
実施例１、４と、比較例３、６との比較から２５℃における粘度が３０００ｍＰａ・ｓ以下のビスフェノールＦ型エポキシ樹脂から、１３０００ｍＰａ・ｓのビスフェノールＡ型エポキシ樹脂に変更することで、粘度安定性は変わらないが、初期粘度が上がったことにより、成形性や成形品位がわるくなっていることがわかる。また、耐アルカリ性も低下しており、表面品位の低下や重量増がみられる。
【手続補正１６】
【補正対象書類名】明細書
【補正対象項目名】００８７
【補正方法】変更
【補正の内容】
【００８７】
さらに、参考例１と比較例５との比較によれば、２官能のエポキシ樹脂の“ｊＥＲ（登録商標）”８０６の内５０重量部を４官能エポキシ樹脂であるＴＥＴＲＡＤ−Ｘにかえることで、粘度安定性が低下し、成形品の表面品位、耐アルカリ性などの低下していることがわかる。